(57)【特許請求の範囲】
【請求項１】
ケースの底部に貫通形成されたケース排水穴と、前記ケース底部の外側面に前記ケース排水穴全体を覆って設けられ、最下部又はその近傍に水抜き穴を有する外部容器と、該外部容器内空間に収納され、前記ケース排水穴から前記外部容器内への水の流出のない通常状態では前記水抜き孔を閉塞し、水の流出のある状態では浮遊し前記水抜き孔を開放するフロート弁と、を備え、
前記外部容器内には、前記通常状態にてフロート弁が前記水抜き孔を適正に閉塞するようにフロート弁の位置規制を行う位置規制手段が設けられ、
該位置規制手段により、前記外部容器が前記ケース底部に固定されたことを特徴とするケース内水抜き機構。
【請求項２】
前記位置規制手段は、前記フロート弁に設けた貫通孔と、該貫通孔内に挿通され前記フロート弁の浮遊動作を内方から規制する棒状部材と、を備えたことを特徴とする請求項１に記載のケース内水抜き機構。
【請求項３】
前記外部容器は、上部開放部を有する略円筒状部分とその下側に径が小さくなるように連続する斜面部とを有し、該斜面部には水抜き孔が設けられ、
前記フロート弁は、上部円柱部とこれに連続する傾斜部とによって前記外部容器の内部形状に対応した形状を構成し、前記通常状態では前記傾斜部によって前記斜面部の水抜き孔を閉塞するようにしたことを特徴とする請求項１又は２の何れか１項に記載のケース内水抜き機構。
【発明の詳細な説明】
【０００１】
【発明の属する技術分野】
本発明は、ケース内水抜き機構、特に水などの液体が溜まることにより種々の支障が生じるおそれのあるケースについて自動的に水抜きを行うための機構に関する。
【０００２】
【従来の技術】
内部に水が継続して溜まることを防止する必要のあるケース、例えば、送電用の電気基幹線を保持、保護するために使用される屋外用高圧バスダクト、或は変圧器と電気幹線を接続してその周囲を保護する屋外用変圧器ボックス等においては、水の溜まりを完全密閉により防止するか、溜まった水を有効に排水する必要がある。
【０００３】
これは、上記のようなケースの内部に水が溜まると、絶縁支持物（碍子など）などが湿気を帯びて、不慮の短絡・地絡などが生じるおそれが有るからである。そのために、できるだけケースの密閉性を保ち水の溜まりを未然に防止するか、あるいは事後的に排水を効果的に行う必要がある。特に、後者の場合は、ケースに対して排水用の構成を付加する必要があった。
【０００４】
【発明が解決しようとする課題】
上記のようなケースについて、水などの液体に対する密閉性の完全化を図ることは、非常に困難である。例えば、構造物として金属板（鋼板）を使用する場合には、相互の継ぎ目或は固定するためのねじ穴等から雨水が侵入し、また機器の使用・不使用による温度差によって内部が結露して、ケース内部の底面に水が溜まるおそれがある。
【０００５】
また、事後的に溜まった水を有効に排水するための構成を付加することは、ケース製造の煩雑さを増し、また製造コストの上昇を招来する。また、常に水抜きを可能とするために、ケース自体に水抜き孔を設けることも考えられる。しかしながら、常に開放された状態の穴から、ゴミや埃などの異物が侵入するおそれがあり、好ましくない。
【０００６】
本発明は、上記課題を解決するためになされたものであり、簡単な構成でかつ簡単にケースに取付けられ、通常時には、異物の侵入を防止するとができ、ケース内に水が溜まった時には、これを自動的に水抜きすることができるケース内水抜き機構を提供することにある。
【００１１】
【課題を解決するための手段】
上記目的を達成するため請求項１に係るケース内水抜き機構は、
ケースの底部に貫通形成されたケース排水穴と、前記ケース底部の外側面に前記ケース排水穴全体を覆って設けられ、最下部又はその近傍に水抜き穴を有する外部容器と、該外部容器内空間に収納され、前記ケース排水穴から前記外部容器内への水の流出のない通常状態では前記水抜き孔を閉塞し、水の流出のある状態では浮遊し前記水抜き孔を開放するフロート弁と、を備え、前記外部容器内には、前記通常状態にてフロート弁が前記水抜き孔を適正に閉塞するようにフロート弁の位置規制を行う位置規制手段が設けられ、該位置規制手段により、前記外部容器が前記ケース底部に固定されたことを特徴とする。
この様に外部容器内に位置規制手段を設たことにより、溜まり水によって、フロート弁が浮遊し位置ずれして、水抜き動作終了後に的確に水抜き孔を塞ぐことができない状況が生じることを確実に回避することができる。すなわち、フロート弁が水抜き孔の位置以外の所に移動してしまうのを防止することができる。
更に、位置規制手段によって外部容器のケースへの取り付けも行われる。例えば、外部容器をケース底部に取り付け固定するためのねじ部材がフロート弁の浮遊動作を規制する。
【００１２】
請求項２に係るケース内水抜き機構は、
前記位置規制手段が、前記フロート弁に設けた貫通孔と、該貫通孔内に挿通され前記フロート弁の浮遊動作を内方から規制する棒状部材と、を備えたことを特徴とする。すなわち、フロート弁は、棒状部材によりその浮遊動作範囲が内方から規制され、前記水抜き孔を塞ぐことのできない位置に移動してしまうことが確実に防止される。
請求項３に係るケース内水抜き機構は、
前記外部容器が、上部開放部を有する略円筒状部分とその下側に径が小さくなるように連続する斜面部とを有し、該斜面部には水抜き孔が設けられ、前記フロート弁は、上部円柱部とこれに連続する傾斜部とによって前記外部容器の内部形状に対応した形状を構成し、前記通常状態では前記傾斜部によって前記斜面部の水抜き孔を閉塞するようにしたことを特徴とする。
これにより、上記位置規制手段による作用に加え、フロート弁の形状が外部容器の内部形状に対応した形状を有することから、通常状態における水抜き孔の閉塞動作がより確実に行われる。更に、外部容器の斜面部の部分に水抜き孔が設けられ、これを重力方向に径が小さくなっているフロート弁の傾斜部で閉塞するようにしたことから、フロート弁と外部容器との密着性もより良好となるものとなる。
【００１４】
【実施の形態】
以下、図面に基づいてケース内水抜き機構について説明する。図ｌは、参考例を示しており、屋外用高圧バスダクトに応用した例である。同図は、ケース１０の底部１０ａ、その外側面に取り付けられる外部容器１２及びその内部に収納されるフロート弁１４等を示している。
【００１５】
図示のように、水の溜まるケース底部１０ａには、溜まり水を排出するための３個のケース排水穴１６と、ケース底部１０ａの外側に取り付ける外部容器１２の固定のための３個のねじ孔１８が設けられている。これらねじ穴１８の内側はねじ切りされている。
【００１６】
外部容器１２は、上部開放部１２ａがケース底部１０ａに設けた３個の排水穴１６全体を覆う大きさを有している。内部形状は、底部１２ｂに向かって径が漸次小さくなって行くすり鉢状あるいは椀形を有し、円弧状の底部１２ｂには水抜き孔２０が形成されている。上端周縁部には外方向に延びる鍔１２ｃが一体に形成され、鍔１２ｃにはケ−ス底部１０ａに設けたねじ孔１８に対応する位置に、ねじ部品挿通孔２２が形成されている。
【００１７】
外部容器１２の内側には、容器の最下部に設けた水抜き孔２０を、自動的に閉塞・開放するフロート弁１４が収納されている。このフロート弁１４は、水よりも比重の小さい球状の構成とされ外部容器１２内の空間で浮遊動作する。したがって、水の存在しない通常状態では、フロート弁１４は浮遊することなく外部容器１２の底部最下部の水抜き孔２０の真上にありこれを閉塞している。一方、水の存在する状態では、フロート弁１４は浮遊し底部１２ｂから浮き上がり、水抜き孔２０は開放される。
【００１８】
フロート弁１４の大きさは、水抜き孔２０上に位置することでこれを塞ぐことのできるサイズであり、外部容器１２内に水のない通常状態で底部１２ｂに位置し、水抜き孔２０を閉塞することができる。
【００１９】
なお、図において、３本のねじ部材２４は、外部容器１２をケース１０の底部１０ａに取り付けるためのものであり、３個のワッシャー２６は、それらねじ部材の締結時に装着されるものである。
【００２０】
次に、上記構成を有する参考例の動作を図２および図３に基づいて説明する。図２は、ケース底部１０ａに溜まり水がない時の状態、図３は溜まり水が存在する時の状態をそれぞれ示している（なお、水は図示していない）。図２に示したように、ケース１０内に水が溜まっていない通常状態の場合、フロート弁１４は、外部容器１２の最下部に位置してその水抜き孔２０を閉塞状態に保ち、外部から塵埃・湿気等がケ−ス内に侵入するのを防止する。
【００２１】
また、図３に示したように、雨・結露などにより、不慮にしてケース内の底部に水が溜まった場合、その水はケースの各排水穴１６から外部容器１２内に流入し、水より軽いフロート弁１４は自動的に浮き上がる。これにより、閉塞状態にあった外部容器１２の水抜き孔２０が開放状態となり、水はその水抜き孔２０より外部へ水抜きされる。
【００２２】
更に、水抜きの終了に伴って、フロート弁は自動的に下降し、図示の状態、すなわち通常状態である外部容器１２の最下部に位置し、水抜き孔２０を閉塞し、外部からの塵埃・湿気等がケース内に侵入するのを防止する。本実施の形態では、外部容器１２の形状自体が上述のようにすり鉢状或いは椀状とされていることにより、フロート弁１４の通常状態での位置は、常に安定した底部１２ｂの最下部位置となる。したがって、上記水抜き孔２０の閉塞状態が安定して確保される。
【００２３】
次に、図４に基づいて、ねじ部材で外部容器をケースに固定する実施の形態を説明する。同図はケース１０の底部１０ａ、その外側面に取り付けられる外部容器３０及びその内部に収納されるフロート弁１４等を示している。なお、以下の説明において、図１に示した参考例の構成要素と同様の要素には同一の符号を付する。
【００２４】
図示のように、屋外用高圧バスダクト等の水の溜まるケース底部１０ａには、上記参考例と同じく溜まり水を排出するための３個の排水穴１６が形成され、その他にケース底部１０ａの外側に取り付ける外部容器３０の固定のための３個のねじ孔１８が設けられている。
【００２５】
外部容器３０は、上部開放部３０ａがケース底部１０ａに設けた３個の排水穴１６及びねじ孔１８全体を覆うことのできる大きさの円筒形状を有し、最下部の底部３０ｂのほぼ中央部に水抜き孔２０と、ケース底部１０ａに設けたねじ孔１８に対応する位置に３個のねじ部材挿通孔３２を有する。
【００２６】
外部容器３０の内側には、水抜き孔２０を、水の有無により自動的に閉塞・開放するフロート弁１４が設けられており、このフロート弁１４による水抜き孔２０の閉塞、開放動作は、第１の実施の形態と同様である。
【００２７】
本実施の形態の特徴的なことは、ねじ部材挿通孔３２及びねじ孔１８に通される３本のねじ部材３４が、フロート弁１４の浮遊動作の範囲を外方から規制することである。すなわち、３本のねじ部材３４は、フロート弁１４の周囲に配置され、フロート弁１４はその内側で浮遊動作する。
【００２８】
次に、図５〜図８に基づいて上記構成の実施の形態の動作について説明する。図５はケース底部１０ａに溜まり水がない時の状態、図６は溜まり水が存在する時の状態を示しており、図７は図５のＡ−Ａ矢視断面図、図８は図６のＢ−Ｂ矢視断面図である。
【００２９】
図５・図７に示したように、ケース１０内に水が溜まっていない通常状態の場合、フロート弁１４は、その周囲に裕度を持って配置されたねじ部材３４の位置規制によりその裕度以上に横にずれすることがない。したがって、外部容器１２の最下部のほぼ中央に位置して水抜き孔２０を閉塞状態に保ち、外部からの塵埃・湿気等がケース内に侵入するのを防止している。
【００３０】
また、図６・図８に示したように、雨・結露などにより、不慮にしてケース１０内の底部１０ａに水が溜まった場合、上記参考例と同じくフロート弁１４は浮き上がり、水抜き孔２０を開放する。本実施の形態におけるフロート弁１４の浮遊動作は、３本のねじ部材３４によりその範囲が規制され、水抜き孔２０からずれた位置にはずれてしまうおそれはない。水抜き動作終了に伴う動作は上記参考例と同様であり、ねじ部材３４の内側で水抜き孔２０を閉塞する。
【００３１】
次に、図９に基づいて他の実施の形態を説明する。同図はケース１０の底部１０ａ、その外側面に取り付けられる外部容器４０及びその内部に収納されるフロート弁５０等を示している。
【００３２】
図示のように、屋外用高圧バスダクト等の水の溜まるケース底部１０ａには、溜まり水を排出するための４個のケース排水穴１６が設けられ、それらケース排水穴１６のほぼ中央位置には、ケ−ス底部１０ａの外側面に外部容器４０を固定するための内側がねじ切りされたねじ孔１８が１個設けられている。
【００３３】
外部容器５０は、図４に示す実施の形態と同様に上端開放の略円筒形状を有しており、底部４０ｂには４個の水抜き孔４２と、それらのほぼ中央位置にねじ部材挿通孔４４が設けられている。４０ａは外部容器５０の上部開放部である。
【００３４】
本実施の形態において特徴的なことは、フロート弁５０の浮遊動作範囲の規制をフロート弁５０の内方から行うようにしたことである。このための構成として、図示のようにフロート弁５０のほぼ中央には、貫通穴５２が設けられ、この貫通穴５２には、外部容器４０の固定用のねじ部材４６が挿通される。すなわち、ねじ部材４６は、外部容器４０の底部４０ｂのほぼ中央に形成されたねじ部材挿通孔４４及びフロート弁５０の貫通穴５２に挿通されてねじ穴１８部分で締結されるようになっている。これにより、フロート弁５０は貫通穴５２のねじ部材４６に対する裕度の範囲でのみ浮遊動作可能となっている。
【００３５】
また、本実施の形態におけるフロート弁５０は、略円柱形状を有しており、上面部は、最上部に移動した際に、ケース底部１０ａの外側面に付着して、水の流出が終了しても下降しない状態となることを有効に防止するため図示のように凹凸が形成されている。
【００３６】
次に、図１０及び図１１に基づいて、上記他の実施の形態の動作について説明する。図１０はケース底部１０ａに溜まり水がない時の状態を、図１１は溜まり水が存在する時の状態をそれぞれ示している。図１０の、ケース内に水が溜まっていない通常状態の場合、フロート弁５０は、その中央に配置されたねじ部材４６の位置規制により横にずれることがなく、外部容器４０の最下部に位置して、水抜き孔４２を閉塞状態に保ち、外部からの塵埃・湿気等がケース内に侵入するのを防止している。
【００３７】
また、図１１のように、雨・結露などにより、不慮にしてケ−ス内の底部に水が溜まった場合、その水はケース排水穴１６から外部容器４０内に流入し、フロート弁５０は、これによって、ねじ部材４６をガイドとして自動的に浮き上がり、閉塞状態にあった外部容器５０の各水抜き孔４２を開放状態とする。これにより溜まり水は流出される。なお、流出の終了後の動作は、上記実施の形態と同様である。
【００３８】
次に、図１２に基づいて更に他の実施の形態について説明する。同図はケース１０の底部１０ａ、その外側面に取り付けられる外部容器６０及びその内部に収納されるフロート弁７０等を示している。
【００３９】
図示のように、屋外用高圧バスダクト等の水の溜まるケース底部１０ａには、上記他の実施の形態と同じく溜まり水を排出するための４個のケース排水穴１６が設けられ、それらケース排水穴１６のほぼ中央位置には、ケ−ス底部１０ａの外側面に外部容器４０を固定するための内側がねじ切りされたねじ孔１８が１個設けられている。
【００４０】
外部容器６０は、上部開放部６０ａを有する略円筒状部分６０ｂとその下側に径が小さくなるように連続する斜面部６０ｃを有しており、この斜面部６０ｃの部分に４個の水抜き孔６２が設けられている。また、底部６０ｄのほぼ中央位置には、ねじ部材挿通孔６４が設けられている。
【００４１】
一方、フロート弁７０は、上記外部容器６０の内部形状に対応した形状を有しいる。すなわち、上部円柱部７０ａとこれに径が小さくなるように連続する傾斜部７０ｂとから成っている。そして、中央部分には軸方向に貫通穴７２が設けられている。
【００４２】
次に、図１３及び図１４に基づいて、上記更に他の実施の形態の動作について説明する。図１３はケース下面に溜まり水がない時の状態を、図１４は溜まり水が存在する時の状態をそれぞれ示している。本実施の形態において、ねじ部材４６によって外部容器６０が固定され、かつフロート弁７０の浮遊動作範囲が内方から規制されることについては、上記他の実施の形態と同様である。また、水抜き孔６２からの流出機能及びその閉塞機能についても、上記各実施の形態と基本的に同様である。
【００４３】
そして、本実施の形態において特徴的なことは、外部容器６０の斜面部６０ｃの部分に水抜き孔６２を設け、これをフロート弁７０の傾斜部７０ｂの部分で閉塞するようにしたことであり、これにより、通常状態における水抜き孔６２の閉塞動作がより確実に行われる。すなわち、フロート弁７０の重力方向に径が小さくなっているのでフロート弁７０と外部容器６０との密着性がより良好となるものである。なお、フロート弁７０の上端面の形状は、上記他の実施の形態と同様に凹凸形状とすることも可能である。
【００４４】
なお、本発明は、上記各実施の形態の構成に限定されるものではなく、発明の要旨の範囲内で種々の変形が可能である。例えば、上記他の、更に他の実施の形態におけるフロート弁や外部容器の形状は、上記のような円筒や円柱形状に限られず、多角形状のものとすることも可能である。
【００４５】
【発明の効果】
以上説明したように本発明に係るケース内水抜き機構は、水が溜まった状態が継続することが好ましくないケースについて、内部に水が溜まるとその水を自動的かつ迅速にその外側に設けた外部容器を経由して水抜きすることができ、かつ、水の溜まっていない状態では、ケースと外部との連通通路を閉塞してケース内部への異物の侵入を有効に防止することができる。
【００４６】
これにより、ケース内に溜まった水などの液体が長時間放置されることがなく、液体の存在による種々の支障の発生を回避することができる。
【図面の簡単な説明】
【図１】参考例のケース底部、外部容器及びフロート弁の構成図である。
【図２】参考例における水の溜まっていない通常状態説明図である。
【図３】参考例における水が溜まった状態の説明図である。
【図４】実施の形態のケース底部、外部容器及びフロート弁の構成図である。
【図５】実施の形態における水の溜まっていない通常状態説明図である。
【図６】実施の形態における水が溜まった状態の説明図である。
【図７】図５のＡ−Ａ矢視断面図である。
【図８】図６のＢ−Ｂ矢視断面図である。
【図９】他の実施の形態のケース底部、外部容器及びフロート弁の構成図である。
【図１０】他の実施の形態における水の溜まっていない通常状態説明図である。
【図１１】他の実施の形態における水が溜まった状態の説明図である。
【図１２】更に他の実施の形態のケース底部、外部容器及びフロート弁の構成図である。
【図１３】更に他の形態における水の溜まっていない通常状態説明図である。
【図１４】更に他の形態における水が溜まった状態の説明図である。
【図１】
0003990762.tif 000002
【図２】
0003990762.tif 000003
【図３】
0003990762.tif 000004
【図４】
0003990762.tif 000005
【図５】
0003990762.tif 000006
【図６】
0003990762.tif 000007
【図７】
0003990762.tif 000008
【図８】
0003990762.tif 000009
【図９】
0003990762.tif 000010
【図１０】
0003990762.tif 000011
【図１１】
0003990762.tif 000012
【図１２】
0003990762.tif 000013
【図１３】
0003990762.tif 000014
【図１４】
0003990762.tif 000015